(57)【特許請求の範囲】
【請求項１】
利用者が利用するクライアント端末を複数備え、備えられた記憶装置に格納されたデータベースに含まれるコンテンツ情報を前記クライアント端末からの要求に応じて送信するサーバとを有する学習支援システムであって、
前記サーバは、前記クライアントからの要求に基づいてコンテンツ情報が格納された前記データベースから前記要求に応じたコンテンツを収集し、前記クライアントへ送るコンテンツ送信部と、付箋情報又はマーカ情報が格納されたデータベースから前記収集したコンテンツ及び前記要求に含まれる利用者情報に基づいて付箋情報又はマーカ情報を収集し、前記クライアントへ送る付加情報送信部とを有し、
前記クライアントは、送られてきた付箋情報又はマーカ情報のうち当該クライアント端末の利用者によって指定された付箋情報又はマーカ情報を選定する付加情報選択部と、前記送られてきたコンテンツと、前記付加選択部によって選択された付箋情報又はマーカ情報とを表示する表示部とを有し、
前記クライアント端末は、複数の前記利用者が指定されたグループが設定された付箋情報又はマーカ情報が格納されたデータベースについて、当該クライアント端末を利用する利用者が属するグループを、前記付箋情報又は前記マーカ情報の表示条件又は検索条件として指定して当該検索の結果得られた前記付箋情報又は前記マーカ情報を表示することにより前記利用者が属するグループ内で共通の前記付箋情報又は前記マーカ情報を表示することを特徴とする学習支援システム。
【請求項２】
利用者が利用するクライアント端末を複数備え、備えられた記憶装置に格納されたデータベースに含まれるコンテンツ情報を前記クライアント端末からの要求に応じて送信するサーバとを有する学習支援システムにおける学習支援方法であって、
前記サーバは、前記クライアントからの要求に基づいてコンテンツ情報が格納された前記データベースから前記要求に応じたコンテンツを収集し、前記クライアントへ送るコンテンツ送信部と、付箋情報又はマーカ情報が格納されたデータベースから前記収集したコンテンツ及び前記要求に含まれる利用者情報に基づいて付箋情報又はマーカ情報を収集し、前記クライアントへ送る付加情報送信部とを有し、
前記クライアントは、送られてきた付箋情報又はマーカ情報のうち当該クライアント端末の利用者によって指定された付箋情報又はマーカ情報を選定する付加情報選択部と、前記送られてきたコンテンツと、前記付加選択部によって選択された付箋情報又はマーカ情報とを表示する表示部とを有し、
前記クライアント端末は、複数の前記利用者が指定されたグループが設定された付箋情報又はマーカ情報が格納されたデータベースについて、当該クライアント端末を利用する利用者が属するグループを、前記付箋情報又は前記マーカ情報の表示条件又は検索条件として指定して当該検索の結果得られた前記付箋情報又は前記マーカ情報を表示することにより前記利用者が属するグループ内で共通の前記付箋情報又は前記マーカ情報を表示することを特徴とする学習支援方法。
【請求項３】
利用者が利用するクライアント端末を複数備え、備えられた記憶装置に格納されたデータベースに含まれるコンテンツ情報を前記クライアント端末からの要求に応じて送信するサーバとを有する学習支援システムを機能させるための学習支援プログラム方法であって、
前記サーバは、前記クライアントからの要求に基づいてコンテンツ情報が格納された前記データベースから前記要求に応じたコンテンツを収集し、前記クライアントへ送るコンテンツ送信ステップと、付箋情報又はマーカ情報が格納されたデータベースから前記収集したコンテンツ及び前記要求に含まれる利用者情報に基づいて付箋情報又はマーカ情報を収集し、前記クライアントへ送る付加情報送信ステップとを有し、
前記クライアントは、送られてきた付箋情報又はマーカ情報のうち当該クライアント端末の利用者によって指定された付箋情報又はマーカ情報を選定する付加情報選択ステップと、前記送られてきたコンテンツと、前記付加選択ステップによって選択された付箋情報又はマーカ情報とを表示する表示ステップとを有し、
前記クライアント端末は、複数の前記利用者が指定されたグループが設定された付箋情報又はマーカ情報が格納されたデータベースについて、当該クライアント端末を利用する利用者が属するグループを、前記付箋情報又は前記マーカ情報の表示条件又は検索条件として指定して当該検索の結果得られた前記付箋情報又は前記マーカ情報を表示することにより前記利用者が属するグループ内で共通の前記付箋情報又は前記マーカ情報を表示するステップとを有することを特徴とする学習支援プログラム。
【発明の詳細な説明】
【０００１】
【発明の属する技術分野】
本発明は、表示されるコンテンツ情報に付加情報を表示させたり、付加情報の検索を行うことができる利用者の学習を支援するものに関する。
【０００２】
【従来の技術】
インタネットを利用した学習システムにおいて、教材の多くはＨＴＭＬで作成されており、利用者はＷＷＷブラウザを用いて教材を閲覧し学習を進める。利用者はＷＷＷブラウザ以外の特定のソフトウェアを個人のコンピュータにインストールすることなく学習を行うことができる。
【０００３】
一方、複数利用者間で共有するデータに対してメモを付加することが特開２００１−５２０２５号公報や特開平７−３１１７６４号公報、特開２００１−１７５６５０号公報に記載されている。また、特開２０００−３３２９９号公報にはコメントやマーカを付すことが記載されている。
【０００４】
【発明が解決しようとする課題】
前述したようにインタネットを利用した学習システムを構築する場合には利用者の操作環境を考慮する必要がある。例えば、学習者の立場を考えると、テキストにコメントやマークを付加したり、あるいはユーザが色分けできるようにする必要がある。つまり、学習者が自由に教材をカスタマイズできるようにする必要がある。また、講師や質問の回答者の立場を考えると、学習者の質問を簡単に収集でき、学習者へ反映できるようにする必要がある。これは、学習者と講師又は回答者との間で必要な情報をやり取りできる環境を作る必要がある。
【０００５】
本発明は、上述した従来の技術よりも、より学習者が使いやすい環境を提供することを目的とする。
【０００６】
また、講師又は回答者と学習者との間でより簡単に情報のやり取りが行える環境を提供することを目的とする。
【０００７】
【課題を解決するための手段】
上記目的を達成するための一つの手段として、利用者の情報によって取得した付箋情報又はマーカ情報を、利用者の端末において表示条件を設定し、この条件を満たす付箋情報又はマーカ情報を表示するようにする。
【０００８】
また、他の一つの手段として利用者が付箋情報又はマーカ情報に色情報を設定できるようにし、利用者が付箋紙およびマーカを色により視覚的に分類可能とする。
【０００９】
さらに、他の一つの手段として付箋情報又はマーカ情報の検索において、色情報を検索条件として指定できるようにする。
【００１０】
【発明の実施の形態】
以下、本発明の一実施形態を図面を用いて説明する。
【００１１】
図１に、本発明の一実施形態であるインタネットを利用した学習支援システムの構成を示す。本システムは、利用者が端末として利用する複数のクライアント１と、付加情報共有サーバ２とを有している。付加情報共有サーバ２は、複数のクライアント１間で共有する情報を管理するものである。共有する情報の一つとして付箋情報、マーカ情報がある。これにより学習者の間や、学習者と講師又は回答者との間で付箋情報やマーカ情報を共有することができる。尚、以下説明において付加情報とは付箋情報とマーカ情報とを含むものであり、必要な場合はそれぞれ付箋情報、マーカ情報と記載する。
【００１２】
付加情報共有サーバ２は、ネットワークを介してデータの送受信を行うが、ＷＷＷページのデータはＨＴＴＰプロトコルで行い、付箋・マーカ情報はクライアント１と付加情報共有サーバ２との間で取り決めをしている通信プロトコルで行う。ただし、付箋・マーカ情報の送受信についてもＨＴＴＰプロトコルで行うことが可能である。
【００１３】
クライアント１は、入力受付部１５と、ＷＷＷブラウザ処理部１１と、付加情報表示部１２、付加情報解析部１３、および通信処理部１４とを有している。入力受付部１５は、キーボードやマウスなどの入力装置によって利用者が入力した情報を受付け、マウスの位置情報や、マウスの押されたボタンの情報、キーボードによって入力されたキーの情報を出力する。付加情報解析部１３は、利用者から入力された情報に基づいて付箋情報やマーカ情報を処理するものである。付箋情報表示部１２は、付加情報解析部１３によって処理された付箋情報又はマーカ情報を表示するものである。通信処理部１４は、付加情報管理サーバ２との間で、決められたプロトコルに従って通信を行うものである。
【００１４】
ＷＷＷブラウザ処理部１１は、ＷＷＷデータを表示するための表示部１１１と、ＷＷＷページデータを表示部で表示可能なデータに処理し、入力受付部１５で受け付けた要求を処理するための解析部１１３と、ＨＴＴＰプロトコルによる通信を行うための通信処理部１１４とを有している。
【００１５】
付加情報共有サーバ２は、ＷＷＷサーバ２１と、付加情報管理サーバ２２とを有し、ＷＷＷページデータベース２３、利用者利用者情報データベース２４、付加情報データベース２５に接続されている。ここで、ＷＷＷページデータベース２３は、ＨＴＭＬファイルがディスク装置上に格納されているものでもよい。
【００１６】
ＷＷＷサーバ２１は、ＨＴＴＰプロトコルによる通信を行うための通信処理部２１１と、ＨＴＴＰプロトコルによる要求を処理するための要求処理部２１２とを有している。なお、付加情報共有サーバ２内部のＷＷＷサーバ２１ａは、ログイン時に正規の利用者であることを確認するために、利用者情報データベース２４を参照する。
【００１７】
付加情報管理サーバ２２は、クライアント１との間で決められた通信プロトコルで行う通信処理部２２１と、複数利用者の付箋・マーカ情報の管理処理を行うための付加情報管理部２２２とを有している。
【００１８】
図２は、付加情報データベース２５のデータ構造を示したものである。本データベースは、付箋情報又はマーカ情報を格納するものである。また、その項目としては付箋情報又はマーカ情報の作成者名と、この作成者が所属するグループ名を登録する作成者名・作成者グループ名２５１と、付箋情報又はマーカ情報の別と、付箋情報又はマーカ情報の色とを示す情報種別２５２と、付箋情報又はマーカ情報の更新日時を示す更新日時２５３と、付箋情報又はマーカ情報を付加したＷＷＷページの位置を示すコンテンツ位置２５４と、付箋情報又はマーカ情報を付加したＷＷＷページの先頭からの位置を示す文書内位置２５５と、付箋情報に記入している情報を示す付加情報２５６と、付箋情報又はマーカ情報にアクセス可能な利用者名とグループ名を格納するアクセス可能者・可能グループ２５７とを有している。尚、情報種別２５２が「マーカ」の場合は、付加情報２５６にデータは格納されない。
【００１９】
図３は、利用者情報データベース２４の構造を示したものである。この利用者情報データベース２４は、システムへログインする場合と、付箋・マーカ情報を参照する場合に利用される。利用者情報の項目としては、利用者名２４１と、この利用者名に対応するパスワード２４２と、この利用者が所属している所属グループ２４３とを有している。
【００２０】
図４は、付加情報表示条件１５のデータ構造を示したものである。これは、利用者ごとに付箋・マーカ情報の表示又は非表示を設定するためのものである。それぞれの付箋情報又はマーカ情報について、付箋情報又はマーカ情報の別と、付箋情報又はマーカ情報の色とを示す情報種別１５１と、付箋情報又はマーカ情報を表示するか否かを決定する表示フラグ１５２と、表示する付箋情報又はマーカ情報の作成者名および作成者の属するグループ名を格納する作成者１５３の項目を有している。
【００２１】
図５は、利用者の付加情報データベース１６のデータ構造を示したものである。それぞれの付箋情報又はマーカ情報に対して、付箋・マーカ情報の作成者名と該作成者が所属するグループ名からなる作成者名・作成者グループ名１６１と、付箋情報又はマーカ情報の別と、付箋・マーカ情報の色とを示す情報種別１６２と、付箋・マーカ情報の更新日時を示す更新日時１６３と、付箋・マーカ情報を付加したＷＷＷページの先頭からの文字数による位置を示す文書内位置１６４と、付箋情報に記入されている情報を示す付加情報１６５と、付箋・マーカ情報にアクセス可能な利用者名とグループ名を格納するアクセス可能者・可能グループ１６６と、付箋・マーカ情報単位での表示および非表示の設定を行うための個別表示フラグ１６７の項目を有する。付箋・マーカ情報の情報種別１６２がマーカの場合は、付加情報１６５にはデータは格納されない。
【００２２】
図６は、学習システムへのログインページ５０の表示の一例を示したものである。ログインページ５０は、利用者の利用者名を入力する利用者名入力領域５０１と、利用者のパスワードを入力するパスワード入力領域５０２と、ログイン処理の開始を入力するログインボタン５０３とを有している。このログインページ５０は、クライアントの表示装置に表示される。
【００２３】
図７は、学習システムへのログイン時の処理の流れを示したものである。本実施形態ではアプレットを使用しているが、ＷＷＷブラウザ１１に対応するプラグ−インを使用することもできる。
【００２４】
クライアント１のＷＷＷブラウザ１１は、付加情報共有サーバ２のＷＷＷサーバ２１ａのログインページに対するＵＲＬにより、ＷＷＷサーバ２１ａに対してＨＴＴＰプロトコルを用いてログインページの要求を行う。
【００２５】
ＷＷＷサーバ２１ａは、ログインページ５０を表示するためのＨＴＭＬデータをＷＷＷページデータベース２３ａから取得する（ステップＳ１０１０）。ＷＷＷサーバ２１ａは、取得したログインページ５０を、クライアント１に対してＨＴＴＰプロトコルを用いて送信する。
【００２６】
クライアント１は、ＷＷＷサーバ２１ａから送信されたログインページデータをＷＷＷブラウザ処理部１１の通信処理部１１４で受け、このログインページデータを解析部１１３で解析して、表示部１１１にてログインページ５０を表示する（ステップＳ１０２０）。
【００２７】
クライアント１は、利用者名とパスワードを入力受付部１１２で受け付ける（ステップＳ１０３０）。クライアント１は、ＨＴＴＰプロトコルを用いてＷＷＷサーバ２１ａへ入力された利用者名とパスワードをへ送信する。
【００２８】
ＷＷＷサーバ２１ａは、利用者情報データベース２４内の各レコードの利用者名２４１とパスワード２４２の組と、クライアント１から送信された利用者名とパスワードの組とを比較する（ステップＳ１０４０）。
【００２９】
利用者情報データベース２４内に合致するレコードが存在した場合、ＷＷＷサーバ２１ａは、付箋・マーカ情報アプレットをＷＷＷページデータベース２３ａから取得する（ステップＳ１０５０）。そしてＷＷＷサーバ２１ａは付箋・マーカ情報アプレットを通信処理部２１１ａを通じ、ＨＴＴＰプロトコルを用いてクライアント１へ送信する。
【００３０】
一方、利用者情報データベース２４内に合致するレコードが存在しない場合、ＷＷＷサーバ２１ａは、非利用者ページデータをＷＷＷページデータベース２３ａから取得する（ステップＳ１０６０）。ＷＷＷサーバ２１ａは、非利用者ページデータを、通信処理部２１１ａを通じ、クライアント１へ送信する。
【００３１】
クライアント１は、ＷＷＷサーバ２１ａからステップＳ１０５０またはステップＳ１０６０で送信されたデータを、通信処理部１１４で受け、該データを解析部１１３で解析して、表示部１１１にて表示する（ステップＳ１０７０）。
【００３２】
図８は、コンテンツ表示画面の一例を示したものである。コンテンツ表示画面は、クライアント１が受信した付箋・マーカ情報アプレットにより表示される。コンテンツ表示画面５１は、付箋・マーカ情報を編集するためのボタンを配置している付箋・マーカ情報編集指示部５１１と、ＷＷＷコンテンツを表示するＷＷＷコンテンツ表示部５１２と、表示するＷＷＷコンテンツのＵＲＬを入力する領域を備えたＵＲＬ入力部５１３とを有している。付箋・マーカ情報編集指示部５１１には、付箋付加ボタン５１１１、付箋編集ボタン５１１２、付箋除去ボタン５１１３、マーカ付加ボタン５１１４、マーカ除去ボタン５１１５、付箋・マーカ表示設定ボタン５１１６、付箋情報検索ボタン５１１７、およびマーカ情報検索ボタン５１１８とが表示されるようになっている。ＵＲＬ入力部５１３は、ＵＲＬ入力領域５１３１、およびＵＲＬ入力領域５１３１に入力されたＵＲＬのＷＷＷページを表示するための移動ボタン５１３２が表示されるようになっている。
【００３３】
図９は、非利用者ページの表示の一例を示したものである。非利用者ページは、クライアントから付加情報管理サーバ２へ送った利用者名とパスワードが、利用者情報データベースに登録されていない場合に、付加情報管理サーバ２から送られてくるものである。クライアント１は、付箋・マーカ情報アプレットを受信していないため、付箋とマーカの追加、参照は利用できないが、引き続きＷＷＷブラウザとしての機能利用が可能である。
【００３４】
図１０は、付加情報の表示処理の流れを示したものである。
【００３５】
ここでは、既に付加情報が付加情報共有サーバ２の付加情報データベース２５に登録され、ＷＷＷページデータを取得した場合の表示の処理について説明する。
【００３６】
まず利用者は、表示させたいＷＷＷページデータを入力する。入力する方法は、マウスなどの入力装置を使って指定する方法と、キーボードから直接ＵＲＬを入力する方法とがある。
【００３７】
マウスを使って入力する場合、利用者はＷＷＷコンテンツ表示部５１２に表示されているリンク情報にカーソルを移動させ、マウスの左ボタンを押す。クライアント１の入力受付部１１２は、カーソルの位置情報と左ボタンが押された情報とを検出し、この位置情報と左ボタンが押された情報とを解析部１１３へ送る。解析部１１３は、左ボタンが押された情報を受けると、座標情報に基づいてＷＷＷコンテンツ表示部５１２に表示されたリンク情報であるＵＲＬを抽出する。解析部１１３は、抽出したＵＲＬをもとに、ＷＷＷページデータの存在するＷＷＷサーバ２１に対して、ＨＴＴＰプロトコルを用いてＷＷＷページデータの送信要求を行う。
【００３８】
また、利用者がＵＲＬを入力する場合は、ＷＷＷコンテンツ表示部５１２のＵＲＬ入力領域５１３１にキーボードを使って入力する。クライアント１は、移動ボタン５１３２の押下を入力受付部１１２で検出すると、ＵＲＬ入力領域５１３１に入力されたＵＲＬの情報を解析部１１３へ送る。解析部１１３は、入力されたＵＲＬをもとに、ＷＷＷページデータの存在するＷＷＷサーバ２１に対して、ＨＴＴＰプロトコルを用いてＷＷＷページデータの送信要求を行う。
【００３９】
ＷＷＷサーバ２１は、ＷＷＷページデータ送信要求を通信処理部２１１で受け取り、ＷＷＷページデータ送信要求を要求処理部２１２で解析し、要求されているＷＷＷページデータをＷＷＷページデータベース２３から取得する（ステップＳ１１１０）。ＷＷＷサーバ２１は、取得したＷＷＷページデータを、通信処理部２１１を通じ、ＨＴＴＰプロトコルを用いてクライアント１へ送信する。
【００４０】
クライアント１の解析部１１３は、付加情報共有サーバ２からＷＷＷページデータを受けると、このＷＷＷページデータのＵＲＬと利用者名とを付加情報解析部１３へ送る。付加情報解析部１３は、通信処理部１４を介して付加情報管理サーバ２２へ、取得したＷＷＷページデータに対応する付加情報の取得要求を送る。この付加情報の取得要求には、ＷＷＷページデータの存在位置であるＵＲＬと、現在ログイン中の利用者名とが含まれている。
【００４１】
付加情報管理サーバ２２は、付加情報の取得要求を通信処理部２２１で受け取る。付加情報管理サーバ２２の付加情報管理部２２２は、付加情報データベース２５に格納されているコンテンツ位置２５４、アクセス可能者・可能グループ２５７と、付加情報の取得要求に含まれるＵＲＬ、利用者名から対応する付箋情報、マーカ情報を取得する（ステップＳ１１２０）。続いて、付加情報管理サーバ２２は、通信処理部２２１を通じ、クライアント１へ取得した付箋情報、マーカ情報を送信する。
【００４２】
クライアント１は、通信処理部１１４で受け取ったＷＷＷページデータを、解析部１１３で解析を行い、表示部１１２によりＷＷＷページとして表示する（ステップＳ１１３０）。
【００４３】
また、クライアント１は、通信処理部１４で受け取った付箋情報、マーカ情報を付加情報解析部１３で解析し、利用者の付加情報データベース１６に格納する。付加情報解析部１３は格納した付加情報、マーカ情報の個別表示フラグ１６７を「表示」に設定する。次に付加情報解析部１３は、利用者の付加情報データベース１６に格納された付箋情報、マーカ情報から、付加情報表示条件１５を用いて表示する付箋情報、マーカ情報を選択する。具体的には、利用者の付加情報１６に格納されている付箋情報、マーカ情報のうち個別表示フラグ１６７が「表示」となっているものを選択する。次に選択された付箋情報、マーカ情報の情報種別１６２と一致する付加情報表示条件１５の表示フラグ１５２が「表示」となっているものを選択する。さらに、選択された付箋情報、マーカ情報の作成者名・作成者グループ名１６１と、付加情報表示条件１５の作成者１５３とを比較し、同一名称がひとつでも一致する付箋情報、マーカ情報を選択する。このようにして選択された付箋情報、マーカ情報を、付加情報表示部１２によりクライアント１の表示装置に表示する（ステップＳ１１４０）。尚、付加情報は、ＷＷＷページの該当する位置に表示するので、付加情報の表示位置を算出する必要がある。表示位置は、解析部１１３によりＷＷＷページデータの先頭からの文字数から、その文字が表示されている座標を求め、求めた座標によって付加情報の表示位置を決定している。
【００４４】
このように、利用者によって指定された色と、利用者名によって表示される付箋情報が決定される。
【００４５】
図１１に付箋情報６の表示形式の一例を示す。付箋情報にはＷＷＷページへのリンク情報６１を含めることができる。このリンク情報６１によるＷＷＷページの表示は次のようになる。利用者は、表示装置に表示されたカーソルをマウスなどの入力装置によって移動させ、リンク情報６１のいずれかの文字の上でマウスの左ボタンを押すと、カーソルの位置情報が付加情報解析部１３へ送られる。付加情報解析部１３は、位置情報からリンク情報６１を構成する文字上であると判断すると、付箋情報６ａのリンク情報６１を解析部１１３へ渡す。解析部１１３は、通信処理部１１４を介してＷＷＷページを取得し、表示部１１１によりＷＷＷページをＷＷＷコンテンツ表示部５１２に表示する。また、付箋情報は一定の大きさの領域を持ち、付箋情報に記入された情報が領域内に入りきらない場合は、付箋情報６ｂに示すように右端にスクロールバー６２を付加し、スクロールバー６２を操作することにより隠れている内容を表示できる。
【００４６】
また、利用者は付箋情報によってＷＷＷページデータの文字が見えない場合がある。この場合、利用者はマウスを利用して付箋情報をドラッグすることで、付箋情報により隠れていた文字を表示することができる。具体的には、利用者によってマウスの左ボタンが押されると、クライアント１の入力受付部１１２は、カーソルの位置情報を付加情報解析部１３へ送る。利用者はマウスの左ボタンを押したままマウスを移動すると、入力受付部１１２はマウスのボタンが押されたのが解除されるまで、カーソルの位置情報を付加情報解析部１３へ送る。付加情報解析部１３は、最初に送られてきたカーソルの位置情報から対象となる付箋情報を特定し、特定した付箋情報と送られてくる位置情報を付加情報表示部１２へ送る。付加情報表示部１２は、送られた位置情報に基づいて特定された付箋情報を表示する。これにより、利用者はマウスにより特定した付箋情報を移動させることができ、利用者は初めに表示されていた付箋情報により隠れた文字を見ることができる。
【００４７】
尚、付加情報解析部１３は、カーソルの位置情報を受付けてから所定時間経過後に、利用者の付加情報データベース１６から特定された付箋情報の文書内位置を読み出して、座標変換して付加情報表示部１２へ渡す。これにより、利用者によって移動された付箋情報は、所定時間後に元の位置に表示される。
【００４８】
図１２に、付箋情報の編集画面５２の一例を示す。利用者はキーボード又はマウスを利用して参照可能指定領域５２１、色指定領域５２２、付箋紙情報入力領域５２４に入力する。参照可能者指定領域５２１は、付箋情報を参照可能な利用者名及びグループ名を入力する領域である。このように、付箋情報は、グループ名を指定できるようになっているので、新たに利用者が追加された場合であっても、グループを指定することで、付箋情報を参照することができる。つまり、利用者が追加された場合に、付箋情報の参照可能者を変更する必要がなくなる。色指定領域５２２は、付箋情報の表示色を指定する領域である。付箋紙情報入力領域５２４は、利用者のコメントを入力する領域である。さらに、付箋情報への記入情報にリンク情報６１を含めるためのリンク先指定ボタン５２３の押下によりリンク先のＵＲＬを受け付ける。このように、利用者のうち学習するものにとっては、自分に必要なコメントを作成することができる。また講師や回答者にとっては、一つの付箋情報で複数の学習者が参照できるコメントを作成することができる。
【００４９】
図１３に付箋の付加処理の流れを示す。利用者がカーソルを付箋付加ボタン５１１１へ移動させ、マウスの左ボタンを押すと、クライアント１の入力受付部１１２は、カーソルの位置情報を付加情報解析部１３へ送る。付加情報解析部１３は、位置情報から、編集処理が選択されたと判断する。付加情報解析部１３は、付加情報表示部１２へ指示し、編集画面５２を表示する（ステップＳ１２１０）。
【００５０】
利用者は、表示された編集画面５２に対してキーボード又はマウスを利用して、付箋を参照可能な利用者名およびグループ名、付箋紙の表示色、付箋紙への記入情報、必要に応じて該付箋紙への記入情報に含めるリンク情報６１を入力する。クライアント１の入力受付部１１２は、この入力を受付ける（ステップＳ１２２０）。
【００５１】
利用者が、編集画面の「ＯＫ」ボタンを押すと、入力受付部１１２がこれを受付ける。付加情報解析部１３は、入力受付部１１２から送られてきた位置情報から「ＯＫ」ボタンが選択されたと判断すると、編集画面５２を消去するよう付加情報表示部１２へ指示を出し、編集画面５２を消去する（ステップＳ１２３０）。この後、付加情報解析部１３は、付箋情報の表示位置が入力されるのを待つ状態となる。
【００５２】
次に、利用者は付箋情報を表示する位置をマウスによって選択する。利用者は、付箋情報を表示したい位置までカーソルを移動させ、マウスの左ボタンを押す。入力受付部１１２は、カーソルの位置情報を付加情報解析部１３へ送ると、付加情報解析部１３は送られてきた座標位置をＷＷＷページデータの先頭からの文字数での位置に変換する（ステップＳ１２４０）。付加情報解析部１３は、現在ログイン中の利用者名と、ステップＳ１２２０で受け付けた付箋情報と、ＷＷＷページデータＵＲＬと、ＷＷＷページデータの先頭からの位置とを、通信処理部１４により通信プロトコル３２を用いて、付箋・マーカ情報管理サーバ２２へ送信する。
【００５３】
付加情報管理サーバ２２の付箋・マーカ情報管理部２２２は、送られてきた情報に含まれる利用者名をキーとして、利用者情報データベース２４を検索し、キーとした利用者名が属するグループ名を抽出する。付加情報管理部２２２は、送られてきた情報に、検索したグループ名、更新日時情報を追加して付加情報データベース２５に格納する（ステップＳ１２５０）。
【００５４】
また、付加情報管理サーバ２２は、付加情報データベース２５に格納した付箋情報を送信元のクライアント１へ送る。
【００５５】
クライアント１の付加情報解析部１３は、利用者の付加情報データベース１６のアクセス可能者・可能グループ１６６、個別表示フラグ１６７と、付加情報表示条件１５の表示フラグ１５２、作成者１５３とを比較し、表示条件を満足する付箋情報を利用者の付加情報データベースから選択する。付加情報表示部１２は、付加情報解析部１３によって選択された付箋情報を表示装置に表示する（ステップＳ１２６０）。
【００５６】
図１４に付箋情報の編集処理の流れを示す。利用者は、カーソルを付箋情報編集ボタン５１１２にカーソルを移動して、マウスの左ボタンを押し、次に編集したい付箋情報にカーソルを移動させてマウスの左ボタンを押す。クライアント１の入力受付部１１２は、それぞれカーソルの位置情報を付加情報解析部１３へ送る。付加情報解析部１３は、位置情報から「付箋情報編集ボタン」が選択されたと判断する。これにより、次に送られてきる位置情報に基づいて利用者の付加情報データベース１６から付箋情報を特定する。次に、付加情報解析部１３は、特定した付箋情報の情報種別１６２、アクセス可能者・可能グループ１６６、付加情報１６５を読み出して、付加情報表示部１２により編集画面５２を表示する（ステップＳ１３１０）。
【００５７】
利用者は、キーボード又はマウスにより、表示された情報を変更する。変更された情報は、入力受付部１１２で受付けられる（ステップＳ１３２０）。
【００５８】
利用者は、「ＯＫ」ボタンにカーソルを移動させてマウスの左ボタンを押すと、入力受付部１１２はカーソルの位置情報を付加情報解析部１３へ送る。付加情報解析部１３は、位置情報から「ＯＫ」ボタンが選択されたことを検出し、編集画面５２を消去するよう付加情報表示部１２へ指示する（ステップＳ１３３０）。付加情報解析部１３は、変更前の付箋紙情報と、変更後の付箋紙情報として現在ログイン中の利用者名と、ステップＳ１３２０で入力された付箋情報と、ＷＷＷページデータのＵＲＬと、ＷＷＷページデータ先頭からの位置とを、通信処理部１４を通じ、クライアント１と付加情報共有サーバ２との間で取り決めをしている通信プロトコルを用いて、付加情報管理サーバ２２へ送信する。
【００５９】
付加情報管理サーバ２２は、ステップＳ１３３０でクライアント１から送信された変更前の付箋紙情報と、変更後の付箋紙情報を通信処理部２２１で受け付け、変更後の付箋紙情報に対して付加情報管理部２２２で利用者情報データベース２４から取得した当該利用者が属するグループ名と、更新日時情報を変更して、付箋・マーカ情報データベース２５内の変更前の付箋情報を変更後の付箋情報に変更する（ステップＳ１３４０）。付加情報管理部２２は、変更された付箋情報をクライアント１へ送る。
【００６０】
クライアント１の付加情報解析部１３は、利用者の付加情報データベース１６のアクセス可能者・可能グループ１６６、個別表示フラグ１６７と、付加情報表示条件１５の表示フラグ１５２、作成者１５３とを比較し、表示条件を満足する付箋情報を利用者の付加情報データベースから選択する。付加情報表示部１２は、付加情報解析部１３によって選択された付箋情報を表示装置に表示する（ステップＳ１３５０）。
【００６１】
図１５に付箋情報内のリンク情報６１を選択した場合のＷＷＷコンテンツ切り替え処理の流れを示す。クライアント１は、付箋情報内のリンク情報が選択されたことを入力受付部１１２で受け付けると、付加情報解析部１３から前記選択されたリンク情報のＵＲＬを取得する（ステップＳ１４１０）。
【００６２】
クライアント１は、ＷＷＷブラウザ処理部１１にＵＲＬを渡すことにより、ＵＲＬが示すＷＷＷサーバ２１に対して、ＨＴＴＰプロトコルを用いて、リンク情報で指定されているＷＷＷページデータを要求する（ステップＳ１４２０）。
【００６３】
ＷＷＷサーバ２１は、ＷＷＷページデータ送信要求を通信処理部２１１で受け取り、ＷＷＷページデータ送信要求を要求処理部２１２で解析し、要求されているＷＷＷページデータをＷＷＷページデータベース２３から取得する。ＷＷＷサーバ２１は、ＷＷＷページデータを、通信処理部２１１を通じ、ＨＴＴＰプロトコルを用いてクライアント１へ送信する（ステップＳ１４３０）。
【００６４】
クライアント１は、ＷＷＷページデータの存在位置であるＵＲＬを指定し、通信処理部１４を通じ、クライアント１と付加情報共有サーバ２との間で取り決めをしている通信プロトコルを用いて、付加情報管理サーバ２２に対して、ＷＷＷページデータに対応する付加情報の取得要求を行う。付加情報管理サーバ２２は、付加情報の取得要求を通信処理部２２１で受け取り、付加情報管理部２２２において、当該利用者が参照可能かつＷＷＷページデータのＵＲＬに対応する付加情報を、付加情報データベース２５から取得する。続いて、付加情報管理サーバ２２は、通信処理部２２１を通じ、クライアント１と付加情報共有サーバ２との間で取り決めをしている通信プロトコルを用いて、クライアント１へ付加情報を送信する（ステップＳ１４４０）。
【００６５】
クライアント１は、ＷＷＷページデータを通信処理部１１４で受け取り、付加情報解析部１１３で解析を行い、付加情報表示部１１２によりＷＷＷページとして表示する（ステップＳ１４５０）。
【００６６】
クライアント１は、付加情報を通信処理部１４で受け付け、付加情報を付加情報解析部１３で解析し、利用者の付加情報データベース１６に格納する。このとき、利用者の付加情報データベース１６内の個別表示フラグ１６７は、表示に設定する。続いて、クライアント１は、付加情報解析部１３を用いて、利用者の付加情報データベース１６に格納されている付箋・マーカ情報の個別表示フラグ１６７が表示であり、付加情報の情報種別１６２に対応する付加情報表示条件１５の表示フラグ１５２が表示であり、さらに、付加情報の作成者名・作成者グループ名１６１と、付加情報表示条件１５の表示条件の作成者１５３とに、同一名称がひとつでも存在する付加情報を抽出し、付加情報表示部１２により表示する（ステップＳ１４６０）。付加情報解析部１３で解析を行う際に、付加情報の表示位置を算出する必要があるが、解析部１１３により現在のＷＷＷページデータの先頭からの文字数と表示位置との対応から付加情報の表示位置を算出できる。
【００６７】
図１６に付箋の除去処理の流れを示す。利用者は、カーソルを付箋除去ボタン５１１３にカーソルを移動して、マウスの左ボタンを押し、次に編集したい付箋情報にカーソルを移動させてマウスの左ボタンを押す。クライアント１の入力受付部１１２は、それぞれカーソルの位置情報を付加情報解析部１３へ送る。
【００６８】
付加情報解析部１３は、位置情報から「付箋除去ボタン」が選択されたと判断する。これにより、次に送られてきる位置情報に基づいて利用者の付加情報データベース１６から付箋情報を特定する。次に、付加情報解析部１３は、特定した付箋情報を通信処理部１４を通じ、クライアント１と付加情報共有サーバ２との間で取り決めをしている通信プロトコルを用いて、付加情報管理サーバ２２へ送信する（ステップＳ１５１０）。
【００６９】
付加情報管理サーバ２２は、送信された付箋情報を、通信処理部２２１で受け付け、付加情報管理部２２２において送信された付箋情報に対応する付加情報データベース２５内の付箋情報を除去する（ステップＳ１５２０）。また、付加情報管理サーバ２２は、利用者の名前をキーに付加情報データベース２５を検索し、クライアント１へ検索の結果、抽出された付箋情報又はマーカ情報を送る。
【００７０】
クライアント１の付加情報解析部１３は、利用者の付加情報データベース１６のアクセス可能者・可能グループ１６６、個別表示フラグ１６７と、付加情報表示条件１５の表示フラグ１５２、作成者１５３とを比較し、表示条件を満足する付箋情報を利用者の付加情報データベースから選択する。付加情報表示部１２は、付加情報解析部１３によって選択された付箋情報を表示装置に表示する（ステップＳ１５３）。
【００７１】
図１７にマーカ７の表示の一例を示す。マーカ７は、ＷＷＷコンテンツの文章に沿って文字の背景を指定された表示色に変更したものとして表示される。マーカ７の表示色と、ＷＷＷコンテンツの文章の表示色とが同一の場合は、マーカ７のみが表示される。これにより、利用者が暗記をする部分をマーカ７により塗りつぶして学習し、マーカ７を非表示にすることにより、暗記の内容を確認するということができる。
【００７２】
また、別の方法としてマーカ７で指定された文字を上書きするようにしてもよい。これにより、文字ごとに色が変わっている場合でも、簡単に文字をマーカ７によって隠したように見せることができる。
【００７３】
図１８にマーカの付加画面５３を示す。マーカを参照可能な利用者名およびグループ名を参照可能者指定領域５３１で、マーカの表示色をマーカの色指定領域５３２で受け付ける。マーカ情報を参照可能な利用者をグループ名で指定できるようにすることにより、マーカ情報を付加する際に登録されていない利用者であっても、今後、利用者が当該グループに所属することにより、利用者はマーカ情報を参照することができる。尚、利用者がマーカによって文字を見えなくするように設定するための領域を設けてもよい。
【００７４】
図１９にマーカの付加処理の流れを示す。利用者は、カーソルをマーカ付加ボタン５１１４にカーソルを移動して、マウスの左ボタンを押す。クライアント１の入力受付部１１２は、カーソルの位置情報を付加情報解析部１３へ送る。付加情報解析部１３は、送られた位置情報により、「マーカ付加ボタン」が選択されたと判断し、マーカの付加画面５３を付加情報表示部１２により表示する（ステップＳ１６１０）。
【００７５】
利用者は、キーボード又はマウスを利用してマーカを参照可能な利用者名およびグループ名と、マーカの表示色とを入力する。クライアント１の入力受付部１１２は、利用者からの入力を受付ける（ステップＳ１６２０）。
【００７６】
利用者は、「ＯＫ」ボタンにカーソルを移動させてマウスのボタンを押すと、入力受付部１１２はカーソルの位置情報を付加情報解析部１３へ送る。情報解析部１３は、位置情報から「ＯＫ」ボタンが選択されたことを検出し、マーカの付加画面５３を消去するよう付加情報表示部１２へ指示する（ステップＳ１６３０）。
【００７７】
利用者はマウスを利用してカーソルをマーカを付加する文字を選択する。この選択は、対象となる文字を利用者がマウスでドラッグすることにより行う。クライアント１の受付処理部１１２は、検出された位置情報を付加情報解析部１３へ送る。付加情報解析部１３では、送られてきた位置情報からマーカ付加位置の開始位置と終了位置の座標を決定し、ＷＷＷページデータの先頭からの文字数での開始位置と終了位置に変換する。続いて、付加情報解析部１３は、現在ログイン中の利用者名と、ステップＳ１６２０で受け付けたマーカ情報と、対象となっているＷＷＷページデータＵＲＬと、対象となっているＷＷＷページデータの先頭からの開始位置と終了位置とを、付加するマーカ情報として、通信処理部１４を通じ、クライアント１と付加情報共有サーバ２との間で取り決めをしている通信プロトコルを用いて、付加情報管理サーバ２２へ送信する（ステップＳ１６４０）。
【００７８】
付加情報管理サーバ２２は、付加するマーカ情報を通信処理部２２１で受け付け、付加情報管理部２２２で利用者情報データベース２４から取得した当該利用者が属するグループ名と、更新日時情報とを、付加するマーカ情報に付加して、付加情報データベース２５に格納する（ステップＳ１６５０）。また、付加情報管理サーバ２２は、付加情報データベースに格納されたマーカ情報を利用者名により検索し、検索されたマーカ情報をクライアント１へ送る。
【００７９】
クライアント１の付加情報解析部１３は、利用者の付加情報データベース１６のアクセス可能者・可能グループ１６６、個別表示フラグ１６７と、付加情報表示条件１５の表示フラグ１５２、作成者１５３とを比較し、表示条件を満足するマーカ情報を利用者の付加情報データベースから選択する。付加情報表示部１２は、付加情報解析部１３によって選択されたマーカ情報を表示装置に表示する（ステップＳ１６６０）。
【００８０】
図２０にマーカの除去手順を示す。利用者は、カーソルをマーカ除去ボタン５１１５にカーソルを移動して、マウスの左ボタンを押し、次に除去したいマーカ情報にカーソルを移動させてマウスの左ボタンを押す。クライアント１の入力受付部１１２は、それぞれカーソルの位置情報を付加情報解析部１３へ送る。
【００８１】
付加情報解析部１３は、位置情報から「マーカ除去ボタン」が選択されたと判断する。これにより、次に送られてきる位置情報に基づいて利用者の付加情報データベース１６からマーカ情報を特定する。これは、送られた位置情報をＷＷＷページデータの先頭からの文字数に変換し、変換された文字数がデータベースに登録された文書内位置１６４に含まれるものを対象となるマーカ情報と特定する。次に、付加情報解析部１３は、特定したマーカ情報を通信処理部１４を通じ、クライアント１と付加情報共有サーバ２との間で取り決めをしている通信プロトコルを用いて、付加情報管理サーバ２２へ送信する（ステップＳ１７１０）。
【００８２】
付加情報管理サーバ２２は、送信されたマーカ情報を、通信処理部２２１で受け付け、付加情報管理部２２２において送信されたマーカ情報に対応する付箋・マーカ情報データベース２５内のマーカ情報を除去する（ステップＳ１７２０）。また、付加情報管理サーバ２２は、利用者の名前をキーに付加情報データベース２５を検索し、クライアント１へ検索の結果、抽出されたマーカ情報を送る。
【００８３】
クライアント１の付加情報解析部１３は、利用者の付加情報データベース１６のアクセス可能者・可能グループ１６６、個別表示フラグ１６７と、付加情報表示条件１５の表示フラグ１５２、作成者１５３とを比較し、表示条件を満足するマーカ情報を利用者の付加情報データベース１６から選択する。付加情報表示部１２は、付加情報解析部１３によって選択されたマーカ情報を表示装置に表示する（ステップＳ１７３０）。
【００８４】
図２１に付箋・マーカの表示設定画面５４を示す。この設定画面５４には、表示する付箋情報の条件を入力する表示付箋情報設定領域５４１と、表示するマーカ情報の条件を入力する表示マーカ情報設定領域５４２とが表示されている。付箋情報およびマーカ情報とも、各表示色に対して作成者を表示条件として設定することができる。付箋・マーカの表示設定画面５４を通して、付加情報表示条件１５の設定を行うことができる。これにより、利用者が必要とする付箋・マーカ情報を絞り込んで表示できる。
【００８５】
また、付箋・マーカ情報は個別に非表示にできる。利用者は、マウスを利用してカーソルを付箋又はマーカへ移動し、マウスの右ボタンを押す。クライアント１の入力受付部１１２は、カーソルの位置情報を付加情報解析部１３へ送る。付加情報解析部１３は、送られた位置情報から利用者の付加情報データベース１６に格納された付箋情報又はマーカ情報を特定し、「個別表示」と「全個別非表示解除」の項目を有するポップアップメニューを表示するよう付加情報表示部１２へ指示を出す。
【００８６】
また、利用者が付箋又はマーカが表示されていないＷＷＷコンテンツ表示部５１２でマウスの左ボタンを押すと、クライアント１の入力受付部１１２は、カーソルの位置情報を付加情報解析部１３へ送る。付加情報解析部１３は、付箋又はマーカが表示されていない場合は、「全個別非表示解除」の項目を持つポップアップメニューを表示するよう付加情報表示部１２へ指示を出す。利用者が表示されたポップアップメニューの「個別非表示」にカーソルを移動させてマウスの左ボタンを押すと、付加情報解析部１３は、先ほど特定した付箋情報又はマーカ情報の個別表示フラグ１６７を非表示に設定する。これにより、利用者が指定した付箋又はマーカが消去される。利用者が、「全個別非表示解除」にカーソルを移動し、マウスの左ボタンを押すと、付加情報解析部１３は、利用者の付加情報１６内の全付箋・マーカ情報の個別表示フラグ１６７を表示に設定する。これにより、一時的に付箋・マーカ情報の表示を抑止でき、利用者が必要としている付箋・マーカ情報のみを表示できる。
【００８７】
また、付箋又はマーカを一次的に画面から消去する方法として次のようにしてもよい。
【００８８】
利用者は、画面から一時的に消去したい付箋又はマーカへカーソルを移動させて左ボタンを押す。クライアント１の入力受付部１１２は、カーソルの位置情報及び左ボタンが押された情報を付加情報解析部１３へ送る。付加情報解析部１３は、送られた位置情報から、利用者の付加情報データベース１６を検索し、位置情報により付箋情報又はマーカ情報を特定する。また、付加情報解析部１３は、左ボタンが押された情報を受けると、マウスの右ボタンが押された情報を待つ。次に利用者がマウスの右ボタンを押すと、クライアント１の入力受付部１１２は、右ボタンがおされた情報を付加情報解析部１３へ送る。付加情報解析部１３は、特定された付加情報又はマーカ情報の個別表示フラグ１６７を「非表示」に設定し、マウスの左ボタンの情報が送られてくるのを待つ。尚、付加情報解析部１３により個別表示フラグ１６７が「非表示」と設定された付箋又はマーカは画面から消去される。利用者は、画面から消去された付箋又はマーカを再び表示したい場合には、マウスの左ボタンを押す。クライアント１の付加情報解析部１３は、マウスの左ボタンが押された情報を入力受付部１１２から受付けると、先に特定した付箋情報又はマーカ情報の個別表示フラグ１６７を「表示」に設定する。これにより、画面から消去された付箋又はマーカが再び表示される。ここで説明した方法は、利用者がマウスの左ボタンと右ボタンを押すことで対象とした付箋又はマーカが画面から消去されるようになっているが、マウスの左ボタンが押されたことを検出して、個別表示フラグ１６を「非表示」に設定するようにしてもよい。また、再び付箋又はマーカを表示する場合には、利用者がマウスの左ボタンを押す必要があるが、付加情報解析部１３が一定時間経過したものについては個別表示フラグ１６７を「非表示」から「表示」に変更するようにすれば、利用者の操作を減らすことができる。
【００８９】
図２２に、付箋情報検索条件設定画面５５を示す。この画面は、検索対象となる付箋情報の色を入力する付箋の色指定領域５５１と、検索対象期間を入力する検索対象期間設定領域５５２と、検索対象者を入力する検索対象者設定領域５５３と、付箋紙の記述に対する検索条件を入力する検索文字列入力領域５５４が表示されている。
図２３に、付箋情報の検索結果表示画面を示す。検索結果表示画面は、付箋情報の色、付箋の記述、付箋情報が付加されているコンテンツのＵＲＬを表示する。クライアント１は、付箋情報が付加されているコンテンツのＵＲＬの選択を入力受付部１１２で受け付けると、該ＵＲＬのコンテンツを表示し、かつ、該コンテンツに対応する付箋およびマーカのうち設定されている表示条件を満たしているものを表示する。これにより、学習者が質問をする際の付箋情報の色を指定しておくことにより、講師は付箋情報の当該色と、講師自身または講師のグループを除く作成者を指定することにより、学習者の質問を抽出することができる。また、付箋情報は学習資料の質問を行う箇所に付加してあるため、学習者は質問箇所を特定するための記述をすることなく、講師に対して質問を行うことができる。図２４に付箋情報の検索手順を示す。クライアント１は、付箋検索ボタン５１１７の押下を入力受付部１１２で受け付けると、付箋情報検索画面５５を付加情報表示部１２により表示する
（ステップＳ１８１０）。
クライアント１は、付箋情報検索画面５５において、検索対象となる付箋情報の色、期間、作成者、記述内容についての検索条件を入力受付部１１２で受け付ける（ステップＳ１８２０）。
【００９０】
クライアント１は、付箋情報検索画面５５のＯＫボタンの押下を入力受付部１１２で受け付けると、付箋情報検索画面５５を消去する。続いて、クライアント１は、通信処理部１４を通じ、クライアント１と付加情報共有サーバ２との間で取り決めをしている通信プロトコルを用いて、ステップＳ１８２０で受け付けた前記検索条件を付加情報管理サーバ２２に送信する（ステップＳ１８３０）。
【００９１】
付加情報管理サーバ２２は、通信処理部２２１でクライアント１から送信された前記検索条件を受け付けると、付加情報管理部２２２で検索条件を満たす付箋情報を、付加情報データベース２５から取得する。続いて、付加情報管理サーバ２２は、通信処理部２２１を通じ、通信プロトコル３２を用いて、検索結果である該取得付箋情報をクライアント１へ送信する（ステップ１８４０）。
【００９２】
クライアント１は、通信処理部１４で前記検索結果を受け付け、付加情報解析部１３で該検索結果からＨＴＭＬによるテーブル情報を作成し、該テーブル情報をＷＷＷブラウザ処理部１１によりＷＷＷコンテンツ表示部５１２に該検索結果を表示する（ステップＳ１８５０）。
【００９３】
図２５に、マーカ情報検索条件設定画面５６を示す。検索対象となるマーカの色をマーカの色指定領域５６１で、検索対象期間を検索対象期間設定領域５６２で、検索対象者を検索対象者設定領域５６３で受け付ける。
【００９４】
図２６に、マーカ情報の検索結果表示画面を示す。マーカの色、マーキング部分の記述、マーカが付加されているコンテンツのＵＲＬが表示される。クライアント１は、マーカが付加されているコンテンツのＵＲＬの選択を入力受付部１１２で受け付けると、該ＵＲＬのコンテンツを表示し、かつ、該コンテンツに対応する付箋およびマーカのうち設定されている表示条件を満たしているものを表示する。これにより、利用者は学習資料の要約を作成することができる。特に、英単語の暗記においては、暗記すべき英単語に付加するマーカを決めておくことにより、利用者が暗記すべき英単語のみを抽出できる。
【００９５】
図２７に、マーカ情報の検索手順を示す。利用者が、マーカ検索ボタン５１１８へカーソルを移動して、マウスの左ボタンを押すと、クライアント１の付加情報解析部１３はカーソルの位置情報と、マウスの左ボタンが押された情報を入力受付部１１２から受ける。これにより付加情報解析部１３は、マーカ情報検索画面５６を表示するよう付加情報表示部１２へ指示する（ステップＳ１９１０）。
【００９６】
利用者は、マーカ情報検索画面５６において、検索対象となるマーカの色、期間、作成者についての検索条件を入力すると、入力受付部１１２によって、マーカの色、期間、作成者が受け付けられる（ステップＳ１９２０）。
【００９７】
クライアント１の付加情報解析部１３は、入力受付部１１２から送られてくる位置情報により、利用者によってマーカ情報検索画面５６のＯＫボタンが選択されたと判断すると、マーカ情報検索画面５６を消去する。これにより付加情報解析部１３は、通信処理部１４を通じ、クライアント１と付加情報共有サーバ２との間で取り決めをしている通信プロトコルを用いて、ステップＳ１９２０で設定された検索条件を付加情報管理サーバ２２に送信する（ステップＳ１９３０）。
【００９８】
付加情報管理サーバ２２は、通信処理部２２１でクライアント１から送信された検索条件を受け付け、付加情報管理部２２２で検索条件を満たすマーカ情報を、付加情報データベース２５から取得する。付加情報管理サーバ２２は、通信処理部２２１を通じ、クライアント１と付加情報共有サーバ２との間で取り決めをしている通信プロトコルを用いて、検索結果である該取得マーカ情報をクライアント１へ送信する（ステップ１９４０）。
【００９９】
クライアント１は、通信処理部１４で検索結果を受け付ける。さらに、クライアント１は、検索結果からコンテンツ位置を示すＵＲＬを取得し、通信処理部１４を通じ、ＨＴＴＰプロトコルを用いて、ＵＲＬが示すＷＷＷページデータの送信をＵＲＬで指定されるＷＷＷサーバ２１に対して要求する。ＷＷＷサーバ２１は、ＷＷＷページデータ送信要求を通信処理部２１１で受け取り、ＷＷＷページデータ送信要求を要求処理部２１２で解析し、要求されているＷＷＷページデータをＷＷＷページデータベース２３から取得する。ＷＷＷサーバ２１は、ＷＷＷページデータを、通信処理部２１１を通じ、ＨＴＴＰプロトコルを用いてクライアント１へ送信する（ステップＳ１９５０）。
【０１００】
クライアント１は、通信処理部１４でＷＷＷページデータを受け取り、付加情報解析部１３で、検索結果と、ＷＷＷページデータから検索結果のマーカ範囲に対応する部分を抽出した情報とから、ＨＴＭＬによるテーブル情報を作成し、テーブル情報をＷＷＷブラウザ処理部１１により検索結果を表示する（ステップＳ１９６０）。
【０１０１】
図２８に、コンテンツが記録媒体上に存在し、かつ、記録媒体が利用者ごとに配布される場合の、本発明の一実施形態を示す。コンテンツはコンテンツ情報を記録した記録媒体１７上に存在する。ＷＷＷブラウザは、ＷＷＷサーバからのコンテンツ情報を取得するのと同じく、該ＷＷＷブラウザが動作しているマシン内のコンテンツ情報を取得できる。このため、同一のコンテンツ情報を記録した記録媒体１７を利用することにより、付箋・マーカ情報の共有を行うことができる。
【０１０２】
以上説明したように、付箋紙およびマーカ情報に色情報を追加したため、利用者が付箋紙およびマーカ情報を特別な操作を行うことなく視覚的に分類可能となる。また、付箋紙およびマーカ情報に色情報を追加したため、付箋紙およびマーカ情報の検索時の絞込み精度を高めることができる。
【０１０３】
また、付箋紙およびマーカ情報を表示する際の表示条件を設定可能としたことにより、利用者が必要としていない付箋紙およびマーカ情報の表示を抑制することができ、ＷＷＷコンテンツおよび利用者が必要としている情報を見やすくできる。
さらに、付箋紙およびマーカ情報を付加する際に、該付箋紙およびマーカ情報に対する参照可能者にグループおよび全登録者の単位での指定を可能としたことにより、将来登録される利用者に対しても情報共有可能とすることができる。
【０１０４】
【発明の効果】
以上説明したように、本発明によればコンテンツデータに対して付加情報を複数の利用者で利用することが可能となる。
【図面の簡単な説明】
【図１】システム構成図である。
【図２】付箋・マーカ情報データベースのデータ構造を示す図である。
【図３】利用者情報データベースのデータ構造を示す図である。
【図４】付箋・マーカ情報表示条件のデータ構造を示す図である。
【図５】現在のＷＷＷページに対応する付箋・マーカ情報のデータ構造を示す図である。
【図６】ログインページ画面である。
【図７】ログイン時の処理手順を示す図である。
【図８】本システムへログインした後のクライアントにおける表示画面である。
【図９】非利用者ページの画面である。
【図１０】付箋情報の表示手順を示す図である。
【図１１】付箋情報の表示形式を示す図である。
【図１２】付箋の付加および付箋情報の編集画面である。
【図１３】付箋の付加手順を示す図である。
【図１４】付箋情報の編集手順を示す図である。
【図１５】付箋情報内のリンク情報を選択した場合のＷＷＷコンテンツ切り替え手順を示す図である。
【図１６】付箋の除去手順を示す図である。
【図１７】マーカの表示形式を示す図である。
【図１８】マーカの付加画面である。
【図１９】マーカの付加手順を示す図である。
【図２０】マーカの除去手順を示す図である。
【図２１】付箋・マーカの表示設定画面である。
【図２２】付箋情報検索条件設定画面である。
【図２３】付箋情報の検索結果表示画面である。
【図２４】付箋情報の検索手順を示す図である。
【図２５】マーカ情報検索条件設定画面である。
【図２６】マーカ情報の検索結果表示画面である。
【図２７】マーカ情報の検索手順を示す図である。
【図２８】システム構成図である。
【符号の説明】
１  クライアント
２  付加情報共有サーバ
１１  ＷＷＷブラウザ処理部
１２  付箋・マーカ情報表示部
１３  付箋・マーカ情報解析部
１４  通信処理部
２１  ＷＷＷサーバ
２２  付箋・マーカ情報管理サーバ
２３  ＷＷＷページデータベース
２４  利用者情報データベース
２５  付箋・マーカ情報データベース
１１１  表示部
１１２  入力受付部
１１３  解析部
１１４  通信処理部
２１１  通信処理部
２１２  要求処理部
２２１  通信処理部
２２２  付箋・マーカ情報管理部
【図１】
0003858686.tif 000002
【図２】
0003858686.tif 000003
【図３】
0003858686.tif 000004
【図４】
0003858686.tif 000005
【図５】
0003858686.tif 000006
【図６】
0003858686.tif 000007
【図７】
0003858686.tif 000008
【図８】
0003858686.tif 000009
【図９】
0003858686.tif 000010
【図１０】
0003858686.tif 000011
【図１１】
0003858686.tif 000012
【図１２】
0003858686.tif 000013
【図１３】
0003858686.tif 000014
【図１４】
0003858686.tif 000015
【図１５】
0003858686.tif 000016
【図１６】
0003858686.tif 000017
【図１７】
0003858686.tif 000018
【図１８】
0003858686.tif 000019
【図１９】
0003858686.tif 000020
【図２０】
0003858686.tif 000021
【図２１】
0003858686.tif 000022
【図２２】
0003858686.tif 000023
【図２３】
0003858686.tif 000024
【図２４】
0003858686.tif 000025
【図２５】
0003858686.tif 000026
【図２６】
0003858686.tif 000027
【図２７】
0003858686.tif 000028
【図２８】
0003858686.tif 000029